(57)【要約】【課題】エンジンを適切な温度状態に維持しつつ、廃熱回収効率を向上する廃熱回収装置を提供することを課題とする。【解決手段】エンジン（２）の廃熱回収装置（１）は、廃熱により冷媒を蒸気化する蒸発器（６）と、発生した蒸気を介してエンジン（２）の廃熱を回収するタービン（８）及び発電機（１２）及び蓄電装置（１３）と、蒸気を液相の冷媒へ戻す凝縮器（９）と、蒸発器（６）へ流入する冷媒を加圧する加圧機（５）と、加圧機（５）をバイパスするバイパス通路（１６）と、を備えている。【選択図】図１
2009138575.tif 000002
【特許請求の範囲】
【請求項１】
冷媒を蒸気化する蒸発部と、
発生した蒸気を介してエンジンの廃熱を回収する動力回収手段と、
蒸気を液相の冷媒へ戻す凝縮器と、
前記蒸発部へ流入する冷媒を加圧する加圧機と、
を備えたことを特徴とするエンジンの廃熱回収装置。
【請求項２】
請求項１記載のエンジンの廃熱回収装置において、
前記圧縮機をバイパスするバイパス手段を備えたことを特徴とするエンジンの廃熱回収装置。
【請求項３】
請求項１記載のエンジンの廃熱回収装置において、
前記蒸発器で蒸発した蒸気と排気との間で熱交換させる過熱器を備え、
前記蒸発部は、前記過熱器を通過した排気が通過することを特徴としたエンジンの廃熱回収装置。
【請求項４】
請求項１記載のエンジンの廃熱回収装置において、
前記動力回収手段は、ｎ個の膨張機を備え、
蒸気の流路の上流側からｋ＋１番目に配置された前記膨張機は、ｋ番目に配置された膨張機を通過した蒸気により駆動されることを特徴としたエンジンの廃熱回収装置。
【請求項５】
請求項１記載のエンジンの廃熱回収装置において、
前記動力回収手段は、ｎ個の膨張機と、
当該膨張機のそれぞれに対応する発電機又は動力回収機構と、を備え、
蒸気の流路の上流側からｋ＋１番目に配置された前記膨張機は、ｋ番目に配置された膨張機を通過した蒸気により駆動されることを特徴としたエンジンの廃熱回収装置。
【請求項６】
請求項１記載のエンジンの廃熱回収装置において、
前記動力回収手段は、ｎ個の膨張機と、
当該膨張機のそれぞれから動力を回収する発電機又は動力回収機構と、を備え、
蒸気の流路の上流側からｋ＋１番目に配置された前記膨張機は、ｋ番目に配置された膨張機を通過した蒸気により駆動されることを特徴としたエンジンの廃熱回収装置。
【発明の詳細な説明】
【技術分野】
【０００１】
本発明は、エンジンにおける廃熱を、蒸気を介して回収する廃熱回収装置に関する。
【背景技術】
【０００２】
従来、内燃機関（エンジン）の駆動に伴って発生する廃熱を、ランキンサイクルを利用して回収する廃熱回収装置が知られている。このような廃熱回収装置には、例えば、エンジンの水冷冷却系統を密閉構造とし、エンジンにおける廃熱によって気化した冷却水、すなわち蒸気によって膨張器（タービン）を駆動して、その蒸気の持つ熱エネルギーを電気エネルギー等に変換して回収するものがある。このような廃熱回収装置を改良したものが、例えば、特許文献１に開示されている。特許文献１に開示された廃熱回収装置は、エンジンのウォータジャケット内で冷媒へエンジンの廃熱を付与し、蒸気を発生させている。
【０００３】
【特許文献１】特開２０００−３４５８３５号公報
【発明の開示】
【発明が解決しようとする課題】
【０００４】
このような廃熱回収装置は、膨張機へ流入する蒸気が高圧であるほど、廃熱回収効率を向上することができる。このため、廃熱回収装置では、蒸気の発生する蒸発部内の冷媒を加圧し、冷媒の沸点を上昇させることにより、廃熱の回収に有利な高圧状態の蒸気を発生させることができる。
【０００５】
ところで、冷媒の蒸発する温度、すなわち、冷媒の飽和温度は、冷媒の圧力が高いほど高温となる。このため、このような廃熱回収装置において廃熱の回収効率の向上を図り、ウォータジャケット内を加圧すると、ウォータジャケット内の冷媒の飽和温度が上昇することとなる。このように飽和温度が上昇することにより、加圧する以前の状態と比較して高温の液相状態の冷媒がウォータジャケット内に存在できるようになる。これにより、エンジン本体の温度も上昇するおそれがある。このような状態のエンジンが高負荷で運転されると、エンジンのオーバーヒートが懸念される。
【０００６】
そこで、本発明は、エンジンを適切な温度状態に維持しつつ、廃熱回収効率を向上することを課題とする。
【課題を解決するための手段】
【０００７】
かかる課題を解決する本発明のエンジンの廃熱回収装置は、冷媒を蒸気化する蒸発部と、発生した蒸気を介してエンジンの廃熱を回収する動力回収手段と、蒸気を液相の冷媒へ戻す凝縮器と、前記蒸発部へ流入する冷媒を加圧する加圧機と、を備えたことを特徴とする（請求項１）。このような構成とすることにより、加圧された冷媒が蒸発部において蒸気化するため、廃熱回収に適した高温高圧の良質な蒸気を取り出すことができる。例えば、このような蒸発部をエンジンの外部に配置することにより、エンジンの壁温を運転に支障ない温度に維持することができる。なお、このようにエンジンの外部に蒸発部を備えた場合でも、ウォータジャケット内で冷媒の一部が蒸発しても構わない。
【０００８】
このようなエンジンの廃熱回収装置は、前記圧縮機をバイパスするバイパス手段を備えた構成とすることができる（請求項２）。このような構成とすることにより、冷媒を加圧せずに蒸発部へ送ることができる。冷媒は高圧となるほど蒸気化する温度が上昇する。このため、蒸発部に供給することができる熱量が小さく、冷媒が蒸気化するほどの温度上昇が見込まれない場合、冷媒への加圧を抑制する。これにより、冷媒の蒸気化が抑制されず、蒸発部において蒸気を発生させるができる。
【０００９】
また、このようなエンジンの廃熱回収装置は、前記蒸発器で蒸発した蒸気と排気との間で熱交換させる過熱器を備え、前記蒸発部は、前記過熱器を通過した排気が通過する構成とすることができる（請求項３）。このような構成とすることにより、排気から回収される熱量を増加させることができる。過熱器通過後の排気が、回収可能な熱エネルギーを有している場合、このような熱エネルギーを液相冷媒の蒸気化に利用することにより、エンジンの廃熱の回収効率を向上することができる。
【００１０】
さらに、本発明のエンジンの廃熱回収装置において、前記動力回収手段は、ｎ個の膨張機を備え、蒸気の流路の上流側からｋ＋１番目に配置された前記膨張機は、ｋ番目に配置された膨張機を通過した蒸気により駆動される構成とすることができる（請求項４）。このような構成とすることにより、蒸気の熱エネルギーをできるだけ回収し、廃熱の回収効率を向上させることができる。本発明のように良質な蒸気を発生させる場合、一つの膨張機では、蒸気の持つ熱エネルギーを回収しきれない場合がある。このような回収しきれない熱エネルギーは、凝縮器において蒸気が液相へ戻る際に廃棄されてしまう。そこで、膨張機を多段化して備えることにより、一つの膨張機では、回収しきれない蒸気の熱エネルギーを複数の膨張機を介して回収することができる。このように、蒸気の有する熱エネルギーを可能な限り回収することができる。また、本発明の廃熱回収装置は、ｋ番目の膨張機とｋ＋１番目の膨張機との間に排気を蒸気との間で熱交換をする過熱器を備えた構成とすることができる。これにより、エンジンの廃熱の回収効率を向上させることができる。なお、ｎは２以上の自然数、ｋは１乃至ｎ−１の間の値を取りうる。
【００１１】
また、このようなエンジンの廃熱回収装置において、前記動力回収手段は、ｎ機の膨張機と、当該膨張機のそれぞれに対応する発電機又は動力回収機構と、を備え、蒸気の流路の上流側からｋ＋１番目に配置された前記膨張機は、ｋ番目に配置された膨張機を通過した蒸気により駆動される構成とすることができる（請求項５）。このような構成とすることにより、それぞれの膨張機で回収されるエネルギーを適した動力、電力に回生する。例えば、ｋ番目の膨張機から回収されるエネルギーは発電機により電力回生し、ｋ＋１番目の膨張機から回収されるエネルギーはエンジンの補機類駆動用の動力に利用することができる。
【００１２】
一方、エンジンの廃熱回収装置において、前記動力回収手段は、ｎ機の膨張機と、当該膨張機のそれぞれから動力を回収する発電機又は動力回収機構と、を備え、蒸気の流路の上流側からｋ＋１番目に配置された前記膨張機は、ｋ番目に配置された膨張機を通過した蒸気により駆動される構成とすることもできる（請求項６）。このような構成とすることにより、各膨張機から回収するエネルギーをまとめて取り出すことができる。これにより回収したエネルギーを大きな出力として利用することができる。
【発明の効果】
【００１３】
本発明のエンジンの廃熱回収装置は、加圧した冷媒を蒸発部において蒸気化し、廃熱回収に適した高温高圧の良質な蒸気を取り出すことができる。また、廃熱回収装置は、エンジン本体が高温、高圧の状態となることを抑制することができる。
【発明を実施するための最良の形態】
【００１４】
以下、本発明を実施するための最良の形態を図面と共に詳細に説明する。
【実施例１】
【００１５】
本発明の実施例１について図面を参照しつつ説明する。図１は、本実施例の廃熱回収装置１を組み込んだエンジン２の概略構成を示した説明図である。
【００１６】
廃熱回収装置１は蒸気状態の冷媒及び液相状態の冷媒が流通する冷媒通路３がループ状に形成されている。蒸気の状態の冷媒及び液相の冷媒は、この冷媒通路３を循環する。冷媒通路３上にはエンジン本体（図示しない）内部に形成されたウォータジャケット４が配置されている。ウォータジャケット４の下流側にはウォータジャケット４側から順に加圧機５、蒸発器６、過熱器７、タービン８、凝縮器９、ウォータポンプ（Ｗ／Ｐ）１０が配置されている。冷媒通路３はループ状に形成されているため、ウォータポンプ１０の下流側にウォータジャケット４が配置されていることとなる。ウォータジャケット４内の冷媒はエンジン本体と熱交換を行い、エンジン本体を冷却する。この結果、冷媒の温度が上昇する。
【００１７】
加圧機５は、ウォータジャケット４内の冷媒を蒸発器６へ送るポンプである。また、加圧機５は、蒸発器６へ流入する冷媒を加圧する。加圧機５により加圧された冷媒は、飽和蒸気温度が上昇する。すなわち、冷媒の蒸気化する温度が上昇する。
【００１８】
加圧機５により蒸発器６へ送られた冷媒は、蒸発器６内で蒸発する。このような蒸発器６は、本発明の蒸発部に相当する。蒸発器６は、エンジン本体から排出される排気ガスの通路である排気通路１１と、冷媒通路３とが接触するように形成されている。これにより、蒸発器６内の冷媒は排気ガスから熱を付与され、蒸気となる。このように、廃熱回収装置１は、蒸発器６において加圧された冷媒を蒸発させることにより、高圧蒸気を発生させる。
【００１９】
こうして発生した蒸気は、過熱器７へ流入する。過熱器７は、排気通路１１の蒸発器６の上流側で排気通路１１と冷媒通路３とが接触するように形成されている。すなわち、過熱器７では、蒸発器６よりも高温の状態の排気ガスと蒸気が熱交換を行うことができる。これにより、過熱器７では、蒸発器６発生した蒸気を高温化することができる。このように過熱器７を通過する蒸気は、蒸発器６で高圧な状態で発生し、過熱器７において高温化され、廃熱回収に有利な高温高圧の良質な蒸気となる。
【００２０】
タービン８は本発明の膨張機に相当し、過熱器７を通過して高温高圧の状態となった蒸気によって駆動される。タービン８は、発電機１２と接続されている。発電機１２はタービン８によって駆動されることにより蒸気の熱エネルギーを電気エネルギーに変換し、蓄電装置１３に回収する。このように、タービン８、発電機１２、蓄電装置１３は、本発明の動力回収手段を構成し、蒸気を介してエンジン２の廃熱を回収する。
【００２１】
凝縮器９は、蒸気となった冷媒を再び液相の状態に戻す。凝縮器９によって液相の状態に戻された冷媒はウォータポンプ１０によって再びウォータジャケット４内に供給される。
【００２２】
このように、廃熱回収装置１は、蒸発した冷媒、すなわち、蒸気の熱エネルギーを電気エネルギーに変換し、回収するランキンサイクルシステムを構成している。廃熱回収装置１は、蒸発器６をウォータジャケット４の下流側に配置したことにより、ウォータジャケット４内を高圧にすることなく、高圧の蒸気を得ることができる。このため、エンジン本体が高温になることを抑えつつ、廃熱の回収効率を向上できる。なお、ウォータポンプ１０はエンジン２の運転上、信頼性が維持できる範囲でウォータジャケット４内の圧力を上昇する構成とすることもできる。
【００２３】
また、廃熱回収装置１は、過熱器７において、蒸気へ熱を付与した後の排気ガスにより、蒸発器６内の液相状態の冷媒を蒸発させている。エンジン本体から排出される排気ガスは、過熱器７において蒸気へ熱を付与する。また、この結果、排気ガスの温度が低下する。ところが、このような排気ガスは、依然として冷媒へ熱を付与することができる温度状態である場合がある。このような場合に、廃熱回収装置１は、排気ガスを蒸発器６へ流通させて、冷媒へ熱を付与し、蒸気を発生させる。このように、過熱器７において排気ガスから回収できなかった熱量を蒸発器６において回収することができる。これにより、廃熱回収装置１は回収効率の向上を図っている。
【００２４】
さらに、このような廃熱回収装置１は、第一切替弁１４、第二切替弁１５を備えている。第一切替弁１４は、冷媒通路３のウォータジャケット４と加圧機５との間に配置されている。第二切替弁１５は、冷媒通路３の加圧機５と蒸発器６との間に配置されている。さらに、この第一切替弁１４と第二切替弁１５とを接続し、加圧機５をバイパスするバイパス通路１６が形成されている。これら第一切替弁１４、第二切替弁１５、バイパス通路１６は本発明のバイパス手段を構成する。
【００２５】
第一切替弁１４は三方弁であって、ウォータジャケット４内と加圧機５とを接続する経路と、ウォータジャケット４内とバイパス通路１６とを接続する経路とを切替える。第二切替弁１５も三方弁であって、加圧機５と蒸発器６とを接続する経路と、バイパス通路１６と蒸発器６とを接続する経路とを切替える。第一切替弁１４及び第二切替弁１５は、各々ＥＣＵ（Ｅｌｅｃｔｒｏｎｉｃ  Ｃｏｎｔｒｏｌ  Ｕｎｉｔ）１７と電気的に接続されており、ＥＣＵ１７からの信号に基づいて冷媒の経路を切替える。
【００２６】
廃熱回収装置１は、冷媒通路３のウォータジャケット４と第一切替弁１４との間に冷媒温度センサ１８、冷媒圧力センサ１９を備えている。また、排気通路１１の過熱器７と蒸発器６との間に排気温度センサ２０を備えている。これらのセンサはそれぞれＥＣＵ１７と接続しており、ＥＣＵ１７は、これらのセンサから取得する冷媒の情報及び排気ガスの情報に基づいて、第一切替弁１４、第二切替弁１５の経路を決定し、経路を切替えるための信号を送信する。
【００２７】
冷媒が加圧機５を通過する状態にあるとき、冷媒は加圧機５により加圧されるため、蒸発器６において蒸気が発生する温度が上昇する。このような状態において、例えば、排気ガスの熱量が不足するなどの理由により、加圧された冷媒が蒸発器６内で蒸発できないことが想定される場合、ＥＣＵ１７は、冷媒が加圧機５を通過しない経路、すなわち、バイパス通路１６を通る経路へ切替える。これにより、冷媒の圧力が上昇しないため、冷媒の飽和温度は上昇しない。このため、蒸発器６内で容易に蒸気を発生させることができる。
【００２８】
次に、このようなＥＣＵ１７の制御についてＥＣＵ１７の制御のフローを参照しつつ説明する。図２はＥＣＵ１７の制御の一例を示したフローである。ＥＣＵ１７は、エンジン２が始動すると制御を開始する。
【００２９】
ＥＣＵ１７はステップＳ１でＴ１とＴ２とを比較し、Ｔ１がＴ２以上であるか否かを判断する。ここでは、冷媒温度センサ１８から取得される冷媒の温度情報、すなわち、ウォータジャケット４を流れ出た冷媒の温度情報をＴ１とする。また、排気温度センサ２０から取得される排気ガスの温度情報、すなわち、蒸発器に流入する排気ガスの温度情報をＴ２とする。ＥＣＵ１７は、ステップＳ１でＹＥＳと判断する場合、すなわち、Ｔ１がＴ２以上である場合、ステップＳ２へ進む。
【００３０】
ＥＣＵ１７がステップＳ１でＹＥＳと判断する場合、蒸発器６を通過する冷媒の温度が蒸発器６を通過する排気ガスの温度よりも高い状態である。このような状態は、廃熱回収を行うほどエンジン２が熱を発していないため、廃熱回収装置１は、蒸気が発生しやすい状態を構成する。このため、ＥＣＵ１７は、ステップＳ２及び以下のステップＳ３、Ｓ４の処理を行う。
【００３１】
ＥＣＵ１７はステップＳ２で加圧機５の運転を停止する。ＥＣＵ１７はステップＳ３で第一切替弁１４へ、ウォータジャケット４とバイパス通路１６とを接続する経路を形成させる信号を送る。ＥＣＵ１７はステップＳ４で第二切替弁１５へ、バイパス通路１６と蒸発器６とを接続する経路を形成させる信号を送る。これにより、ウォータジャケット４内から流れ出た冷媒はバイパス通路１６へ流入し蒸発器６へ流入する。すなわち、廃熱回収装置１は、加圧機５による冷媒の圧力上昇を抑制する。ＥＣＵ１７はステップＳ４の処理を終えるとリターンする。なお、ステップＳ２、ステップＳ３、ステップＳ４の処理は同時に行うこともでき、また、これらの処理の順序を入れ替えて行うこともできる。
【００３２】
ところで、ＥＣＵ１７は、ステップＳ１でＮＯと判断する場合、すなわち、Ｔ１がＴ２よりも低い状態である場合、ステップＳ５へ進む。
【００３３】
ＥＣＵ１７はステップＳ５でＴ３とＴ２とを比較し、Ｔ３がＴ２以上であるか否かを判断する。ここでは、蒸発器６へ流入する冷媒の圧力Ｐ１の飽和温度をＴ３とする。ここで、圧力Ｐ１は、冷媒圧力センサ１９から取得された冷媒の圧力情報及び加圧機５の性能に基づいて、ＥＣＵ１７によって予測される値である。ＥＣＵ１７は、ステップＳ５でＹＥＳと判断する場合、すなわち、Ｔ３がＴ２以上である場合、ステップＳ２へ進む。このように、ＥＣＵ１７がステップＳ５でＹＥＳと判断する場合、冷媒を加圧してしまうと蒸発器６において蒸気の発生が抑制される。このため、ＥＣＵ１７は、ステップＳ２及び以下のステップＳ３、Ｓ４の処理を行う。これにより、加圧機５による冷媒の圧力上昇を抑制する。このような冷媒は、蒸発器６内で熱を付与されて、蒸発することが容易となる。
【００３４】
一方、ＥＣＵ１７は、ステップＳ５でＮＯと判断する場合、すなわち、Ｔ３がＴ２よりも低温である場合、ステップＳ６及び以下のステップＳ７、Ｓ８の処理を行う。
【００３５】
ＥＣＵ１７はステップＳ６で加圧機５を駆動する。ＥＣＵ１７はステップＳ７で第一切替弁１４へ、ウォータジャケット４と加圧機５とを接続する経路を形成させる信号を送る。ＥＣＵ１７はステップＳ８で第二切替弁１５へ、加圧機５と蒸発器６とを接続する経路を形成させる信号を送る。これにより、ウォータジャケット４内から流れ出た冷媒は加圧機５へ流入する。このように、加圧機５を通過する冷媒は加圧され高圧の状態となり、蒸発器６へ流入する。このように高圧の状態となった冷媒が蒸発器６で排気ガスから受熱し、蒸気が発生する。ＥＣＵ１７はステップＳ８の処理を終えるとリターンする。なお、ステップＳ６、ステップＳ７、ステップＳ８の処理は同時に行うこともでき、また、これらの処理の順序を入れ替えて行うこともできる。
【００３６】
以上のように、廃熱回収装置１は、加圧機５で加圧した冷媒を蒸発器６において蒸気化することにより、廃熱回収に適した高温高圧の良質な蒸気を取り出すことができる。また、廃熱回収装置１は、ウォータジャケット４の外部で蒸気を加圧するため、エンジン本体の圧力及び温度を、信頼性の保障される状態に維持することができる。
【実施例２】
【００３７】
次に、本発明の実施例２について説明する。図３は、本実施例の廃熱回収装置３１を組み込んだエンジン３２の概略構成を示した説明図である。本実施例の廃熱回収装置３１は、実施例１の廃熱回収装置１と同様の構成をしている。但し、廃熱回収装置３１は、廃熱回収装置１のタービン（第一タービン）８と凝縮器９との間に、上流側から第二過熱器３３、第二タービン３４を配置している点で廃熱回収装置１と相違している。本実施例では、第二過熱器３３、第二タービン３４と区別するため、実施例１の過熱器７を第一過熱器７、実施例１のタービン８を第一タービン８としている。また、廃熱回収装置３１は、排気通路１１の第一過熱器７と蒸発器６との間に第二過熱器３３が配置されている点で、廃熱回収装置１と相違している。なお、その他の構成は実施例１と同一であるため、実施例１と同一の構成要素については、図面中、同一の参照番号を付し、その詳細な説明は省略する。
【００３８】
廃熱回収装置３１は、第一過熱器７で蒸気へ熱を付与した排気ガスを第二過熱器３３に導入させる。第二過熱器３３では、第一タービン８から排出された蒸気へ排気ガスの熱を付与する。すなわち、蒸気へ第一過熱器７で回収しきれなかった排気ガスの熱エネルギーを付与する。これにより、蒸気の熱エネルギーが増加する。このような蒸気は、第二タービン３４へ流入する。
【００３９】
第二タービン３４は、第一タービン８を通過し、第二過熱器３３で熱エネルギーの増加した蒸気により駆動される。この第二タービン３４は本発明の動力回生機構を備える動力回生部３５と接続されている。動力回生部３５は、第二タービン３４により駆動される。廃熱回収装置３１の第一タービン８は、本発明の１番目の膨張機に相当し、第二タービン３４は、２番目の膨張機に相当する。廃熱回収装置３１は、このようなタービンをさらに備えることもできる。
【００４０】
このように、廃熱回収装置３１は、熱エネルギーを電力、動力へ回生するタービン等を多段化することにより、蒸気の熱エネルギーの回収量を増加させる。また、廃熱回収装置３１は、排気ガスから蒸気への熱伝達を行う熱交換器を多段化することにより、排気ガスから蒸気への熱エネルギーの回収量を増加させる。これにより、廃熱回収装置３１は、廃熱回収効率を向上させる。
【００４１】
また、本実施例の第二タービン３４は、発電機に接続しても良い。図４は、第二タービン３４と第二発電機４２とを接続した廃熱回収装置４１を示した説明図である。廃熱回収装置４１は、廃熱回収装置３１の動力回生部３５に代えて、第二発電機４２を備えた点で、廃熱回収装置３１と相違している。ここでは、第二発電機４２と区別するため、発電機１２を第一発電機１２としている。第二発電機４２は、第二タービン３４によって駆動されることにより蒸気の熱エネルギーを電気エネルギーに変換し、蓄電装置１３に回収する。このように、各タービンから回収するエネルギーをまとめて取り出してもよい。なお、その他の構成は廃熱回収装置３１と同一であるため、同一の構成要素については、図面中、同一の参照番号を付し、その詳細な説明は省略する。
【００４２】
上記実施例は本発明を実施するための例にすぎず、本発明はこれらに限定されるものではなく、これらの実施例を種々変形することは本発明の範囲内であり、さらに本発明の範囲内において、他の様々な実施例が可能であることは上記記載から自明である。
【図面の簡単な説明】
【００４３】
【図１】実施例１の廃熱回収装置を組み込んだエンジンの概略構成を示した説明図である。
【図２】制御フローの一例を示した説明図である。
【図３】実施例２の廃熱回収装置を組み込んだエンジンの概略構成を示した説明図である。
【図４】本発明のその他の廃熱回収装置を組み込んだエンジンの概略構成を示した説明図である。
【符号の説明】
【００４４】
１、３１、４１  廃熱回収装置
２、３２  エンジン
３  冷媒通路
４  ウォータジャケット
５  加圧機
６  蒸発器
７  過熱器（第一過熱器）
８  タービン（第一タービン）
９  凝縮器
１０  ウォータポンプ
１１  排気通路
１２  発電機（第一発電機）
１３  蓄電装置
１４  第一切替弁
１５  第二切替弁
１６  バイパス通路
１７  ＥＣＵ 
３３  第二過熱器
３４  第二タービン
３５  動力回生部
４２  第二発電機
【図１】
2009138575.tif 000003
【図２】
2009138575.tif 000004
【図３】
2009138575.tif 000005
【図４】
2009138575.tif 000006